(57)【要約】      （修正有）【課題】各フェンス用パネルの風等による影響を均等に分散させて全体で受け、併せて支柱への影響をも均質として安全性と耐久性を高めるフェンスを提供する。【解決手段】支柱１、１間に複数のフェンス用パネル３、３、３を渡設して形成したフェンスにおいて、支柱１、１間の中間位置に、渡設した複数のフェンス用パネル３の上下方向に亘って板体９を当着して連結したフェンス。【選択図】図４
0003111888.tif 000002
【実用新案登録請求の範囲】
【請求項１】
支柱間に複数のフェンス用パネルを渡設して形成したフェンスにおいて、支柱間の中間位置に、渡設した複数のフェンス用パネルの上下方向に亘って板体を当着して連結したことを特徴とするフェンス。
【請求項２】
フェンス用パネルが横長平板であって、上下方向に連接して支柱間に渡設されている請求項１記載のフェンス。
【請求項３】
フェンス用パネルが有孔板である請求項２記載のフェンス。
【請求項４】
上下位置と成るフェンス用パネルが間隔をおいて渡設してある請求項２または３記載のフェンス。
【請求項５】
フェンス用パネルが一方の面に突出した折曲板であって、上下方向に連接して支柱間に渡設されている請求項１記載のフェンス。
【請求項６】
板体がフェンス用パネルの非突出面側に当着してある請求項５記載のフェンス。
【請求項７】
フェンス用パネルが有孔折曲板である請求項６記載のフェンス。
【請求項８】
上下位置と成るフェンス用パネルが間隔をおいて渡設してある請求項６または７記載のフェンス。
【考案の詳細な説明】
【技術分野】
【０００１】
本考案はフェンスに関するものであり、詳しくは支柱間に渡設したフェンス用パネルの耐久性、安全性に関するものである。
【背景技術】
【０００２】
従来のフェンスの基本的構成は、地中に固定して立設した支柱間にフェンス用材である網やネット或いは金属製パネルを、張設または渡設して仕切り面を形成しているものである。
【０００３】
フェンス用パネルである金属製板には、平板や折曲した板、或いはこれ等の板に透孔を穿設したものがあり、一定の上下幅を有する横長の板状体である。
そして、これらのフェンス用パネルを複数枚用いて、上下方向に並べて支柱間に渡設し、パネルの端部をそれぞれ支柱にボルト・ナットで締結して固定しているのである。
【考案の開示】
【考案が解決しようとする課題】
【０００４】
上記のようにフェンス用パネルは、各々が単独で支柱に対してボルト・ナットで締結して固定され、各フェンス用パネルの相互間では互いに影響を与え合うことなく無縁の状態で支柱間に渡設固定されているのである。
したがって、風等の圧力は個々のフェンス用パネルが個々にその影響を受け、また、支柱へも個々に影響を及ぼすことになる。
【０００５】
ゆえに、斯かる構成のフェンスにおいては、フェンス用パネルの渡設場所や位置によって、風等の影響が異なり、部分的な捻れや歪み、破損等が生じ、その耐久性や状態に差異が生じ、また、支柱への影響も固定箇所によって異なるため、支柱の状態も部分的に変化し全体のバランスに好ましくないのである。
【０００６】
そこで、本考案は、各フェンス用パネルの風等による影響を均等に分散させて全体で受け、併せて支柱への影響をも均質として安全性と耐久性を高めるフェンスを提供せんとするものである。
【課題を解決するための手段】
【０００７】
本考案は、支柱間に複数のフェンス用パネルを渡設して形成したフェンスにおいて、支柱間の中間位置に、渡設した複数のフェンス用パネルの上下方向に亘って板体を当着して連結したことを特徴とするフェンスとしたものである。
【０００８】
フェンス用パネルが横長平板であって、上下方向に連接して支柱間に渡設されている場合や、間隔をおいて渡設してある場合もある。
また、フェンス用パネルが一方の面に突出した折曲板であって、上下方向に連接して支柱間に渡設され、或いは上下位置と成るフェンス用パネルが間隔をおいて渡設してあるものであってもよい。
そして、フェンス用パネルが有孔平板または有孔折曲板で形成されていてもよい。
【０００９】
板体が、一方の面に突出した折曲板であるフェンス用パネルの非突出面側に当着される
ものとしてもよい。
【考案の効果】
【００１０】
本考案は、各フェンス用パネルを板体で上下方向に亘って当着して連結したため、独立した状態で支柱間に渡設して固定されていた各フェンス用パネルが一体に連結され、個々に受ける風等の影響を全体のフェンス用パネルへ分散し、均質に受け止めることとなる効果を有するのである。
このことは、支柱に対しても均質な圧力を全体で受けることとなる効果となってあらわれる。
【００１１】
したがって、常にフェンス用パネルと支柱が一体となって、全体で風等の圧力に対抗して受けるため効果的で、偏ることなくバランスよく、フェンスの機能を発揮させることができる効果を有するのであり、強度及び耐久性の向上に役立つ効果も得られるのである。
【００１２】
この効果は、フェンス用パネルが平板又は折曲板、透孔の有無や、フェンス用パネルが上下方向に連接又は間隔をおいて支柱に渡設されていることによる違いに拘わらず、同一の効果を得られる。
【００１３】
板体を一方の面に突出した折曲板であるフェンス用パネルの非突出面側に当着すると、締着するボルト・ナットの突出部がフェンス用パネルの突出面より後方となって安全性が向上するものとなる。
【考案を実施するための最良の形態】
【００１４】
本考案の実施の形態を図面に基づいて説明する。
図1は本考案の一実施の形態を示すフェンスの正面図、図2は同平面図、図3は同側断面図そして図４は同要部断面図である。
フェンスは支柱１、１間にフェンス用パネル３、３、３・・・が上下方向に連接して渡設配置され、各フェンス用パネル３の両端が支柱１，１にボルト・ナットで締結固定されている。
【００１５】
支柱１，１はH鋼で地中にコンクリート基礎２、２で立設されている。
フェンス用パネル３は、透孔４を有する横長の金属板を折曲したもので、上下の垂直端部面５、５と中央垂直突出面６及び両者を繋ぐ傾斜面７、７に形成されている。
そして、支柱１のＨ鋼背面片８に、中央垂直突出面６を正面側とし、フェンス用パネル３の上下の垂直端部面５を当接してボルト・ナットで締結固定している。
上下位置となるフェンス用パネル３同士は、上下の垂直端部面５が重ならず且つ間隔を空けずに連接されるのであり、これ等の支柱とフェンス用パネルの構成は従来公知のものである。
【００１６】
支柱１、１に渡設したフェンス用パネル３、３、３・・・の中間部に、最上部のフェンス用パネル３と最下部のフェンス用パネル３に亘って、平鋼の板体９が、背面側である上下の垂直端部面５の背面に当接して、垂直端部面５の透孔４を利用し座金１０を介在させボルト・ナットで締結してある。
座金１０は、上下位置となるフェンス用パネル３、３の連続する上・下の垂直端部面５、５を被覆する上下長さを有し、上下位置となるフェンス用パネル３、３の一体化に貢献している。
【００１７】
したがって、従来各フェンス用パネル３は、互いに関係することなく個々独立した状態で支柱１、１に連結固定されていたが、板体９によって支柱１、１間に渡設されている全てのフェンス用パネル３、３、３・・・が連結されて一体となるものである。
【００１８】
実施の形態例を示す図面では、有孔折曲板のフェンス用パネルで説明したけれど、フェンス用パネルが平板で形成されていても、透孔の有無の違い、或いはフェンス用パネルが支柱に一定間隙を空けて配置して渡設したもの又は部分的に隙間を設けたものであっても、全て同一の作用効果を得られるものである。
【００１９】
そして、板体９はフェンス用パネルの正面側に当着して連結一体化してもよく、必要ならば、支柱間に複数の板体を設けてもよい。
また、板体は平板状に限らず他の形鋼材を用いてもよい。
【図面の簡単な説明】
【００２０】
【図１】本考案の一実施の形態を示すフェンスの正面図である。
【図２】同平面図である。
【図３】同側断面図である。
【図４】同要部断面図である。
【符号の説明】
【００２１】
１    支柱
２    コンクリート基礎
３    フェンス用パネル
４    透孔
５    垂直端部面
６    中央垂直突出面
７    傾斜面
８    Ｈ鋼背面片
９    板体
１０  座金
【図１】
0003111888.tif 000003
【図２】
0003111888.tif 000004
【図３】
0003111888.tif 000005
【図４】
0003111888.tif 000006